(57)【要約】【課題】入出力データを圧縮・暗号化して記憶装置に保存する情報処理装置において、圧縮・暗号化されていないデータが一度も記憶装置上に存在しないようにしてセキュリティ性を高める。【解決手段】読取部１２から入力された画像データを圧縮部２１と暗号部２２とで圧縮・暗号化して記憶装置１７に格納するまでの一連の入力処理を、パイプライン処理しかつメモリを介さずにデバイス間でデータの受け渡しを直接行なう。また記憶装置１７に格納されている圧縮・暗号化されたデータを復号部２３と伸張部２４とで復号化・伸張して元のデータに戻し、印刷部１３から出力するまでの一連の出力処理についても同様にパイプライン処理で行なう。これにより、圧縮・暗号化されていないデータを一度も記憶装置上に存在させずにコピージョブやプリントジョブの実行が可能になる。【選択図】図１
2005301798.tif 000002
【特許請求の範囲】
【請求項１】
データの入力手段と、圧縮手段と、暗号化手段と、記憶手段とを備え、
前記入力手段から入力されたデータを前記圧縮手段と前記暗号化手段とを用いて圧縮・暗号化して前記記憶手段に格納する一連の入力処理を、圧縮・暗号化が完了する前のデータを記憶手段に格納することなく行なう
ことを特徴とする情報処理装置。
【請求項２】
記憶手段と、復号化手段と、伸張手段と、データの出力手段とを備え、
前記記憶手段に格納されている圧縮・暗号化されたデータを前記復号化手段と前記伸張手段とを用いて元のデータに戻して前記出力手段から出力する一連の出力処理を、復号化後のデータを記憶手段に格納することなく行なう
ことを特徴とする情報処理装置。
【請求項３】
データの入力手段と、データの出力手段と、圧縮手段と、暗号化手段と、記憶手段と、復号化手段と、伸張手段とを備え、
前記入力手段から入力されたデータを前記圧縮手段と前記暗号化手段とを用いて圧縮・暗号化して前記記憶手段に格納する一連の入力処理を、圧縮・暗号化が完了する前のデータを記憶手段に格納することなく行ない、
前記記憶手段に格納されている圧縮・暗号化されたデータを前記復号化手段と前記伸張手段とを用いて元のデータに戻して前記出力手段から出力する一連の出力処理を、復号化後のデータを記憶手段に格納することなく行なう
ことを特徴とする情報処理装置。
【請求項４】
記憶手段を介さずに前記入力手段と前記圧縮手段と前記暗号化手段との間でデータを受け渡しする
ことを特徴とする請求項１または３に記載の情報処理装置。
【請求項５】
記憶手段を介さずに前記復号化手段と前記伸張手段と前記出力手段との間でデータを受け渡しする
ことを特徴とする請求項２または３に記載の情報処理装置。
【請求項６】
前記処理を流れ作業で行なう
ことを特徴とする請求項１、２、３、４または５に記載の情報処理装置。
【請求項７】
前記データが画像データである
ことを特徴とする請求項１、２、３、４、５または６に記載の情報処理装置。
【発明の詳細な説明】
【技術分野】
【０００１】
本発明は、データを圧縮・暗号化して記憶手段に格納する機能を備えた情報処理装置に係わり、特にデジタル複写機のように画像データを圧縮・暗号化して格納する機能を備えた情報処理装置に関する。
【背景技術】
【０００２】
情報処理装置にデータを保存する場合には、必要な記憶容量の低減と機密保持の観点からデータを圧縮・暗号化することが行なわれている。通常は、入力されたデータを一旦メモリに保存し、このメモリからデータを順次読み出して圧縮・暗号化処理を施した後にハードディスク装置などの記憶装置へ格納するようになっている。また、記憶装置に保存してある圧縮・暗号化データを出力するときは、これを復号化・伸張して元に戻したデータを一旦メモリに保存した後、このメモリから順次読み出してデータを印刷装置に出力したり外部の装置へ送信したりするようになっている（たとえば、特許文献１参照。）。
【０００３】
【特許文献１】国際公開第ＷＯ９７／１０６５９号パンフレット
【発明の開示】
【発明が解決しようとする課題】
【０００４】
データを圧縮・暗号化して保存することによりデータの機密性は高まるが、従来は、圧縮・暗号化する前のデータや復号化・伸張した後のデータを一旦メモリに保存するので、このメモリに残っている情報からデータが漏洩する可能性があった。特に、圧縮・暗号化されていないデータをハードディスク装置に保存する場合には、データを普通に消去しても、残存磁気情報から元の情報を再現することができるので、充分な機密性を確保することが難しかった。
【０００５】
本発明は、上記の問題を解決しようとするものであり、圧縮・暗号化されていないデータが一度も記憶装置上に存在することなく、入出力データを圧縮・暗号化して記憶装置に保存することのできるセキュリティ性の高い情報処理装置を提供することを目的としている。
【課題を解決するための手段】
【０００６】
請求項１に係わる発明は、データの入力手段（１２、１５、１６、２５）と、圧縮手段（２１）と、暗号化手段（２２）と、記憶手段（１７）とを備え、
前記入力手段（１２、１５、１６、２５）から入力されたデータを前記圧縮手段（２１）と前記暗号化手段（２２）とを用いて圧縮・暗号化して前記記憶手段（１７）に格納する一連の入力処理を、圧縮・暗号化が完了する前のデータを記憶手段（１７）に格納することなく行なう
ことを特徴とする情報処理装置である。
【０００７】
上記発明によれば、入力されたデータを圧縮・暗号化して記憶手段（１７）に格納するまでの一連の入力処理が、圧縮・暗号化完了前のデータを記憶手段（１７）に途中で格納することなく行なわれる。言い換えると、入力されたデータは圧縮・暗号化された後に記憶手段（１７）に格納される。すなわち、入力されたデータについては圧縮・暗号化されたものだけが記憶手段（１７）に格納される。
【０００８】
暗号化を圧縮後に行なってもよいし、生データから一気に圧縮・暗号化されたデータを生成するように構成してもよい。圧縮・暗号化が完了する前のデータは、圧縮・暗号化後のデータを格納する記憶手段（１７）に限らず他のメモリや記憶装置を含めて一切の記憶手段（１７）に記憶されない。たとえば、画像データを扱う場合には、ページメモリやラインメモリなどのメモリも含まれる。ただし、圧縮手段（２１）や暗号化手段（２２）が圧縮処理や暗号化処理を行なうために内部に持っているレジスタやメモリは含まない。記憶手段（１７）は、半導体メモリのほかハードディスク装置やその他の方式の記憶装置であってもよい。
【０００９】
請求項２に係わる発明は、記憶手段（１７）と、復号化手段（２３）と、伸張手段（２４）と、データの出力手段（１３）とを備え、
前記記憶手段（１７）に格納されている圧縮・暗号化されたデータを前記復号化手段（２３）と前記伸張手段（２４）とを用いて元のデータに戻して前記出力手段（１３）から出力する一連の出力処理を、復号化後のデータを記憶手段（１７）に格納することなく行なう
ことを特徴とする情報処理装置である。
【００１０】
上記発明によれば、記憶手段（１７）に格納されている圧縮・暗号化されたデータを復号化および伸張して元のデータに戻し、これを出力手段（１３）に出力するまでの一連の出力処理が、復号化後のデータを出力処理の途中で記憶手段（１７）に格納することなく行なわれる。
【００１１】
伸張は復号化後に行なってもよいし、圧縮・暗号化されたデータから一気に生データを生成するように構成してもよい。復号化後のデータは圧縮・暗号化されたデータを格納している記憶手段（１７）に限らず他のメモリや記憶装置を含めて一切の記憶手段（１７）に記憶されない。たとえば、画像データを扱う場合には、ページメモリやラインメモリなどのメモリも含まれる。ただし、伸張手段（２４）や復号化手段（２３）が伸張処理や復号化処理を行なうために内部に持っているレジスタやメモリおよび出力手段（１３）としてのプリンタ部が持っているラインメモリは含まない。
【００１２】
請求項３に係わる発明は、データの入力手段（１２、１５、１６、２５）と、データの出力手段（１３）と、圧縮手段（２１）と、暗号化手段（２２）と、記憶手段（１７）と、復号化手段（２３）と、伸張手段（２４）とを備え、
前記入力手段（１２、１５、１６、２５）から入力されたデータを前記圧縮手段（２１）と前記暗号化手段（２２）とを用いて圧縮・暗号化して前記記憶手段（１７）に格納する一連の入力処理を、圧縮・暗号化が完了する前のデータを記憶手段（１７）に格納することなく行ない、
前記記憶手段（１７）に格納されている圧縮・暗号化されたデータを前記復号化手段（２３）と前記伸張手段（２４）とを用いて元のデータに戻して前記出力手段（１３）から出力する一連の出力処理を、復号化後のデータを記憶手段（１７）に格納することなく行なう
ことを特徴とする情報処理装置である。
【００１３】
上記発明によれば、入力されたデータを圧縮・暗号化して記憶手段（１７）に格納するまでの一連の入力処理が、圧縮・暗号化完了前のデータを記憶手段（１７）に途中で格納することなく行なわれる。また、記憶手段（１７）に格納されている圧縮・暗号化されたデータを復号化・伸張して元のデータに戻しこれを出力手段（１３）に出力するまでの一連の出力処理が、復号化後のデータを出力処理の途中で記憶手段（１７）に格納することなく行なわれる。すなわち、入力されたデータについては、入力されてから出力されるまでの間に暗号化されていない状態で記憶手段（１７）に格納されることは一切ない。
【００１４】
請求項４に係わる発明は、記憶手段（１７）を介さずに前記入力手段（１２、１５、１６、２５）と前記圧縮手段（２１）と前記暗号化手段（２２）との間でデータを受け渡しする
ことを特徴とする請求項１または３に記載の情報処理装置である。
【００１５】
上記発明によれば、入力手段（１２、１５、１６、２５）から入力されたデータは記憶手段（１７）を介することなく直接、圧縮手段（２１）に入力され、圧縮手段（２１）の出力する圧縮データは記憶手段（１７）を介することなく直接、暗号化手段（２２）に入力される。
【００１６】
請求項５に係わる発明は、記憶手段（１７）を介さずに前記復号化手段（２３）と前記伸張手段（２４）と前記出力手段（１３）との間でデータを受け渡しする
ことを特徴とする請求項２または３に記載の情報処理装置である。
【００１７】
上記発明によれば、復号化手段（２３）の出力する復号化後のデータ（圧縮データ）は記憶手段（１７）を介することなく直接、伸張手段（２４）に入力され、伸張手段（２４）の出力する生データは記憶手段（１７）を介することなく直接、出力手段（１３）に入力される。
【００１８】
請求項６に係わる発明は、前記処理を流れ作業で行なう
ことを特徴とする請求項１、２、３、４または５に記載の情報処理装置である。
【００１９】
上記発明によれば、各処理は、いわゆるパイプライン方式で実行される。すなわち、入力処理においては入力手段（１２、１５、１６、２５）と圧縮手段（２１）と暗号化手段（２２）とが同時並列に動作し、入力された順に次々とデータが圧縮され暗号化されて記憶手段（１７）に格納される。また出力処理においては復号化手段（２３）と伸張手段（２４）と出力手段（１３）とが同時並行に動作し、記憶手段（１７）から読み出された順に次々とデータが復号化され伸張されて出力手段（１３）に渡され出力される。
【００２０】
請求項７に係わる発明は、前記データが画像データである
ことを特徴とする請求項１、２、３、４、５または６に記載の情報処理装置である。
【００２１】
画像データは、高解像度化やカラー化に伴ってデータ量が多くなる傾向にあるので、圧縮と暗号化を行なう本発明の対象データとして好適である。たとえば、本発明に係わる情報処理装置が画像データを扱うデジタル複写機の場合には、スキャナ部やプリントコントローラが入力手段（１２、１５、１６、２５）となり、プリンタ部が出力手段（１３）になる。
【発明の効果】
【００２２】
本発明に係わる情報処理装置によれば、圧縮・暗号化されたデータだけが記憶手段に格納され、暗号化されていないデータが記憶手段に存在することが一切ないので、記憶手段ごと盗まれたり記憶手段に残っているデータが流出したりした場合にも、そのデータを復号化しなければ内容が分からず、機密性が確保され、セキュリティが向上する。
【００２３】
データを入力しこれを圧縮・暗号化して格納するまでの入力処理や記憶手段内のデータを復号化・伸張して出力するまでの出力処理を流れ作業で行なうものでは、入力手段と圧縮手段との間や圧縮手段と暗号化手段との間でデータを一時格納するためのバッファメモリが不要になり、圧縮・暗号化されないデータを記憶手段に一切格納しない入力処理や出力処理を容易に実現することができる。
【発明を実施するための最良の形態】
【００２４】
以下、図面に基づき本発明の実施の形態を説明する。
【００２５】
図１は、本発明の実施の形態に係わる情報処理装置としての画像処理装置１０の構成を示している。画像処理装置１０は、原稿を読み取って対応する画像を記録紙上に形成して出力するコピー機能のほか、スキャナ機能、プリンタ機能、ファクシミリ機能などを備えたデジタル複合機として構成されている。
【００２６】
画像処理装置１０は、当該装置の動作を統括制御する制御部１１を備えている。制御部１１は、図示省略のＣＰＵ（中央処理装置）とＲＯＭ（リード・オンリ・メモリ）とＲＡＭ（ランダム・アクセス・メモリ）とを主要部とした回路で構成されている。
【００２７】
制御部１１には、システムバスを通じて各種の機能部が接続されている。このうち、読取部１２は、原稿画像を読み取って対応する画像データを取り込む機能を果たす。読取部１２は、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーから成る光学経路とを備えている。ラインイメージセンサはＣＣＤ（Charge Coupled Device）で構成される。ラインイメージセンサが出力するアナログ画像信号はＡ／Ｄ変換され、さらに誤差拡散処理などによって２値化されてデジタルの画像データとして出力される。
【００２８】
印刷部１３は、画像データに対応する画像を電子写真プロセスによって記録紙上に形成して出力する機能を果たす。印刷部１３は、記録紙の搬送装置と、感光体ドラムと、帯電装置と、レーザーユニットと、現像装置と、転写分離装置と、クリーニング装置と、定着装置とを有する、いわゆるレーザープリンタとして構成されている。
【００２９】
表示操作部１４は、表面にタッチパネルを備えた液晶ディスプレイと各種の操作スイッチから構成され、ユーザに各種の案内表示や状態表示を行なったり、ユーザから各種の操作を受け付けたりする機能を有している。ネットワークＩ／Ｆ部１５は、ＬＡＮ（ローカル・エリア・ネットワーク）などのネットワークと接続して通信するためのインターフェイス部である。ローカル接続Ｉ／Ｆ部１６は、ＩＥＥＥ１２８４などの通信規格に従って機器をローカル接続するためのインターフェイス部である。
【００３０】
画像処理部２０は、圧縮手段としての圧縮部２１と、暗号化手段としての暗号部２２と、復号化手段としての復号部２３と、伸張手段としての伸張部２４と、ラスタライズ部２５とを備えている。画像処理部２０は、ＡＳＩＣ（Application Specific Integrated Circuit）などの集積回路で構成されている。
【００３１】
圧縮部２１は所定の圧縮方式でデータを圧縮する機能を果たす。暗号部２２はデータを暗号化する機能を果たす。伸張部２４は暗号部２２が暗号化したデータを暗号化前の状態に戻す機能を果たす。復号部２３は、圧縮部２１が圧縮したデータを圧縮前の状態に戻す機能を果たす。ラスタライズ部２５は、ページディスクリプト言語などで表現された印刷データをイメージデータに展開する機能を果たす。
【００３２】
圧縮部２１、暗号部２２、復号部２３、伸張部２４はそれぞれの機能を果たすために必要なバッファメモリを内部に備えている。このバッファメモリは圧縮方式や暗号化方式などに応じて必要量用意すればよい。画像処理部２０は、圧縮部２１と暗号部２２とを並列に動作させるパイプライン処理でデータを圧縮・暗号化するようになっている。また、データを復号化・伸張する処理についても伸張部２４と復号部２３とを並列に動作させるパイプライン処理で行なうようになっている。
【００３３】
記憶装置１７は、画像処理部２０が出力する圧縮・暗号化されたデータを記憶する機能を果たす。ここではハードディスク装置（ＨＤＤ）を記憶装置１７に使用しているがこれに限定されるものではない。
【００３４】
次に、画像処理装置１０が原稿の複製を作成するコピージョブを実行する際の動作の流れを説明する。図２は、コピージョブにおける画像データの流れを示している。コピージョブは、原稿を読み取り、その画像データを圧縮・暗号化して記憶装置１７に格納するまでの入力処理と、記憶装置１７に格納されている圧縮・暗号化されたデータを復号化・伸張して印刷出力する出力処理との組み合わせにより実現される。これら入力処理および出力処理はそれぞれ流れ作業として行なわれる。
【００３５】
まず、読取部１２で原稿の読み取り動作を開始すると、読み取った原稿画像に対応する画像データが順次読取部１２から画像処理部２０の圧縮部２１に出力される（ステップＳ１０１）。圧縮部２１は、読取部１２から入力された画像データを順次圧縮し（ステップＳ１０２）、圧縮後のデータ（圧縮データ）を次々と暗号部２２に画像処理部２０の中で引き渡す。圧縮部２１から暗号部２２へのデータの引渡しは画像処理部２０内部で直接行なわれる。
【００３６】
暗号部２２は圧縮部２１から入力される圧縮データを順次、暗号化して圧縮・暗号化データを出力する（ステップＳ１０３）。暗号部２２の出力する圧縮・暗号化データは画像処理部２０から記憶装置１７に送られて格納される。ここまでが入力処理である。
【００３７】
このように、読取部１２での読み取りから圧縮・暗号化して格納するまでの入力処理は流れ作業的にパイプライン処理で行なわれ、圧縮・暗号化されていない画像データがメモリ上に格納されることはない。
【００３８】
コピージョブでは、所定ページ数分の圧縮・暗号化データが記憶装置１７に格納された時点で出力処理を開始するようになっている。圧縮・暗号化されているデータを格納順に記憶装置１７から読み出して（ステップＳ１０５）、読み出した圧縮・暗号化データを順次画像処理部２０の復号部２３に入力する。
【００３９】
復号部２３は、記憶装置１７から次々に入力される圧縮・暗号化データを逐次復号化して圧縮データに戻し（ステップＳ１０６）、これを伸張部２４に順次引き渡す。伸張部２４は復号部２３から次々に入力される圧縮データを逐次伸張して圧縮前の画像データに戻し（ステップＳ１０７）、これを画像処理部２０から印刷部１３へ順次出力する。印刷部１３は入力された画像データに対応する画像を順次形成して印刷出力する（ステップＳ１０８）。ステップＳ１０５からステップＳ１０８までが出力処理である。
【００４０】
図３は、流れ作業的に画像データが処理される様子を示している。同図は２ページの原稿を１部コピーする場合の例を示している。スキャナインの処理５１の開始からわずかに遅れて圧縮処理５２が開始される。また圧縮処理５２の開始からわずかに遅れて暗号化処理５３の実行が開始され、この暗号化処理５３の開始からさらにわずかに遅れてメモリＩＮの処理５４が開始される。
【００４１】
１ページ目の圧縮・暗号化データの格納が完了すると、メモリＯＵＴの処理５５が開始される。メモリＯＵＴの処理５５の開始からわずかに遅れて復号化処理５６が開始され、復号化処理５６の開始からわずかに遅れて伸張処理５７が開始される。さらに伸張処理５７の開始からわずかに遅れてプリントアウトの処理５８が開始している。このように流れ作業で画像データを処理することにより、生の画像データがメモリ上に存在することなく一連の処理が実行される。
【００４２】
図４は、画像処理装置１０が印刷データを外部装置から受け取って対応する画像を印刷出力するプリントジョブを実行する際の動作の流れを示している。プリントジョブは、印刷データを受信し、これをラスタライズしたものを圧縮・暗号化して記憶装置１７に格納するまでの入力処理と、記憶装置１７に格納されている圧縮・暗号化されたデータを復号化・伸張して印刷出力する出力処理との組み合わせにより実現される。これら入力処理および出力処理はそれぞれ流れ作業として行なわれる。
【００４３】
まず、パーソナルコンピュータなどの装置はアプリケーションプログラムからプリンタドライバを通じて印刷データを出力し、画像処理装置１０はこれをネットワークＩ／Ｆ部１５やローカル接続Ｉ／Ｆ部１６を通じて受信する。
【００４４】
画像処理装置１０が印刷データの受信を開始すると（ステップＳ２０１）、受信した順に印刷データが画像処理部２０のラスタライズ部２５へ入力される。ラスタライズ部２５は、入力された順に印刷データをラスタライズしてイメージの画像データを順次生成し（ステップＳ２０２）、生成した画像データを順次圧縮部２１に引き渡す。ラスタライズ部２５から圧縮部２１への画像データの引渡しは画像処理部２０内部で直接行なわれる。
【００４５】
圧縮部２１は、ラスタライズ部２５から入力された画像データを順次圧縮し（ステップＳ２０３）、圧縮後のデータ（圧縮データ）を次々と暗号部２２に引き渡す。圧縮部２１から暗号部２２へのデータの引渡しは画像処理部２０内部で直接行なわれる。暗号部２２は圧縮部２１から入力される圧縮データを順次、暗号化して圧縮・暗号化データを出力する（ステップＳ２０４）。暗号部２２の出力する圧縮・暗号化データは画像処理部２０から記憶装置１７に送られて格納される。ここまでが入力処理である。
【００４６】
このように、印刷データの受信からラスタライズおよび圧縮・暗号化して格納するまでの入力処理は流れ作業的にパイプライン処理で行なわれ、圧縮・暗号化されていない画像データがメモリ上に格納されることはない。
【００４７】
プリントジョブでは、所定ページ数（たとえば１ページ）分の圧縮・暗号化データが記憶装置１７に格納された時点で出力処理を開始するようになっている。出力処理（ステップＳ２０６〜Ｓ２０９）は、コピージョブにおけるステップＳ１０５〜Ｓ１０８と同様でありその説明は省略する。
【００４８】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、実施の形態では、圧縮処理と暗号化処理とを独立に行なうようにしたが、圧縮処理と暗号化処理の双方をまとめて一度に行ない、生の画像データから一気に圧縮・暗号化データを生成するように構成してもよい。復号化・伸張についても同様である。
【００４９】
画像処理部２０の内部や印刷部１３の内部には、圧縮・暗号化されていない画像データが１ライン〜数ライン分保持されるが、次々と画像データが同じ箇所に上書きされるので画像データの機密性は充分に確保される。
【００５０】
また、実施の形態では、入力処理と出力処理の双方が可能な画像処理装置１０を例に説明したが、入力処理と出力処理のいずれか一方を行なう装置であってもかまわない。たとえば、圧縮・暗号化された後の画像データを入力して記憶装置に保存する機能と、記憶装置に保存されている圧縮・暗号化データを復号化・伸張して出力する機能を備える装置として構成してもよい。また、入力される画像データを圧縮・暗号化して保存する機能と、保存されている圧縮・暗号化データをそのまま外部装置に出力する機能、たとえばＦＴＰ（File Transfer Protocol）転送や電子メールの添付ファイルとして出力する機能を備えた装置として構成してもよい。
【図面の簡単な説明】
【００５１】
【図１】本発明の実施の形態に係わる画像処理装置の構成を示すブロック図である。
【図２】本発明の実施の形態に係わる画像処理装置がコピージョブを実行する際のデータフローを示す流れ図である。
【図３】本発明の実施の形態に係わる画像処理装置が流れ作業的に画像データが処理する様子を示す説明図である。
【図４】本発明の実施の形態に係わる画像処理装置がプリントジョブを実行する際のデータフローを示す流れ図である。
【符号の説明】
【００５２】
１０…画像処理装置
１１…制御部
１２…読取部
１３…印刷部
１４…表示操作部
１５…ネットワークＩ／Ｆ部
１６…ローカル接続Ｉ／Ｆ部
１７…記憶装置
２０…画像処理部
２１…圧縮部
２２…暗号部
２３…復号部
２４…伸張部
２５…ラスタライズ部
５１…スキャナインの処理
５２…圧縮処理
５３…暗号化処理
５４…メモリＩＮの処理
５５…メモリＯＵＴの処理
５６…復号化処理
５７…伸張処理
５８…プリントアウトの処理
【図１】
2005301798.tif 000003
【図２】
2005301798.tif 000004
【図３】
2005301798.tif 000005
【図４】
2005301798.tif 000006